(57)【要約】      （修正有）【課題】閉極状態における固定／可動接触子間の接触圧力を高め、併せて小形化が図れるように改良した回路遮断器の開閉機構を提供する。【解決手段】回動式可動接触子ホルダ４とハンドル５のハンドルレバー６との間を連繋し、トグルリンク１３は原動節点となるトグル軸１３に相互連結した第１リンク９，第２リンク１０の他端をラッチ連結軸１４，接触子ホルダのクランクピン１５に連結した上で、前記トグル軸とハンドルレバーとの間に開閉スプリング１１を架け渡した構成になるものにおいて、前記トグルリンクはトグル軸を上にして第１，第２リンクが共に下向きに延在し、かつ閉極位置では第１リンクと第２リンクとがほぼ重なり合うように配置するとともに、開閉スプリングは圧縮コイルばねとしてハンドルレバーに上端を連繋して回動式のスプリングレバー１６の下端と上方に位置するトグル軸の間に回動式のばね受け座金１７を介して架け渡す。【選択図】        図１
2006019202.tif 000002
【特許請求の範囲】
【請求項１】
可動接触子を保持した回動式の接触子ホルダと開閉操作ハンドルのハンドルレバーとの間を連繋し、ハンドルのＯＮ，ＯＦＦ操作に従動して前記接触子ホルダを閉極，開極位置に駆動する回路遮断器の開閉機構であり、該開閉機構が、原動節点となるトグル軸を介して相互連結した第１リンク，第２リンクの他端をそれぞれラッチ連結軸，接触子ホルダのクランク軸に連結して架設したトグルリンクと、該トグルリンクのトグル軸と前記ハンドルレバーとの間に架け渡した開閉スプリングとの組み合わせからなるものにおいて、
前記トグルリンクはトグル軸を上にして下向きに延在し、かつ可動接触子の閉極位置では第１リンクと第２リンクがほぼ重なり合うように配置するとともに、開閉スプリングは圧縮コイルばねとして、該開閉スプリングをハンドルレバーに上端を連繋してトグルリンクの側方に布設した回動式スプリングレバーの下端とトグル軸の間にまたがって架け渡したことを特徴とする回路遮断器の開閉機構。
【請求項２】
請求項１記載の開閉機構において、スプリングレバーはその長手方向の中間を軸支したシーソー形レバーで、その上端をハンドルレバーに形成した長孔にピン結合し、開閉スプリングはその両端に回動式ばね受け座金を結合し、該ばね受け座金を介してスプリングレバーの下端とトグルリンクのトグル軸との間に圧縮した状態に架け渡したことを特徴とする回路遮断器の開閉機構。
【発明の詳細な説明】
【技術分野】
【０００１】
本発明は、配線用遮断器，漏電遮断器などを対象とする回路遮断器に装備した開閉機構に関する。
【背景技術】
【０００２】
頭記した回路遮断器の開閉機構について、その従来例の構造を図２に示す（例えば、特許文献１，特許文献２参照）。図において、１は回路遮断器のケース（樹脂モールドケース）、２は固定接触子、３は可動接触子、４は可動接触子３を保持した回動式の接触子ホルダ、４ａはその開閉軸（支軸）、５はケース１の上面側に設けた開閉操作ハンドル（ロッカー式ハンドル）、６はハンドル５に連結したハンドルレバー、７は図示してない過電流引外し装置にラッチ受を介して連繋したラッチ、８は第１リンク９と第２リンク１０からなるトグルリンク、１１は開閉スプリング（引張コイルばね）であり、これら部材をフレーム１２に組み付けて開閉機構を構成している。
ここで、前記トグルリンク８の第１リンク９と第２リンク１０の一端は原動節点となるトグル軸１３を介して相互連結され、第１リンク９の他端はラッチ７（常時は図示されてないラッチ受けに掛止して図示位置に鎖錠保持されている）に軸１４を介して連結され、第２リンク１０の他端は接触子ホルダに設けたクランク軸１５に連結されており、これで４節リンクの倍力機構を構成している。また、開閉スプリング（引張コイルばね）１１はその両端のフックを前記トグル軸１３とハンドルレバー６の頂部に引っ掛けて張架されている。
【０００３】
上記構成の開閉機構の動作は特許文献１に詳細に述べられており、図２（ａ）に示す閉極（ＯＮ）状態では、トグル軸１３に加わる開閉スプリング１１の引っ張りばね力を受けてトグルリンク８の第１リンク９と第２リンク１０とがほぼ一直線上に並ぶように伸長され、これにより接触子ホルダ４は開閉軸４ａを支点に反時計方向のトルクを受けて可動接触子３が固定接触子２に当接し、固定／可動接点間に接触圧力を加えている。
この閉極状態からハンドル５を図の右側（ＯＦＦ位置）に移動操作すると、図２（ｂ）で示すようにハンドルレバー６が下部先端の支軸６ａを支点に時計方向に回動し、これによりトグルリンク８に対する開閉スプリング１１の作用線が左から右側に反転して第１リンク９と第２リンク１０とが逆「く」字に座屈し、これに伴い接触子ホルダ４は時計方向に回動して可動接触子３が固定接触子２から開離して接点ＯＦＦとなる。また、この開極状態からハンドル５をＯＮ位置に移動操作すると、開閉スプリング１１の反転動作により接触子ホルダ４が反時計方向に回動して図２（ａ）の閉極状態になる。
【特許文献１】特許第３１６６９０８号公報（図６）
【特許文献２】特開平１０−１２５２０５号公報
【発明の開示】
【発明が解決しようとする課題】
【０００４】
ところで、前記した従来の開閉機構では次記のような課題がある。すなわち、図２の構成ではトグルリンク８の第１リンク９と第２リンク１０とがトグル軸１３を介して上下方向に延在しており、この位置で開閉スプリング（引張コイルばね）１１がハンドルレバー６の頂部とトグル軸１３との間に張架されている。このことから、高さ寸法の限られた遮断器ケース１に内蔵の開閉機構に確保できる開閉スプリング１１の配置スペースが小さく、この配置スペースの制約を受けて開閉スプリング１１は短小な引張コイルばねとなる。そのために、開閉スプリング１１のばね荷重を大きくして閉極状態での固定／可動接触子間に大きな接触圧力を付与することが困難である。
また、開閉スプリング１１が引張コイルばねであると、遮断器の開閉動作ごとにスプリングの両端に形成したフックに大きな応力が加わるために、繰り返し開閉操作すると開閉スプリング１１のフックが疲労破壊するなど耐久性にも問題がある。
【０００５】
本発明は上記の点に鑑みなされたものであり、その目的は前記課題を解決し、外形サイズの限られた遮断器ケース内の配置スペースを有効に生かし、トグルリンクの原動節点に作用する開閉スプリングのばね荷重を大きくして閉極状態における固定／可動接触子間の接触圧力を高め、併せて回路遮断器の小形化が図れるように改良した回路遮断器の開閉機構を提供することを目的とする。
【課題を解決するための手段】
【０００６】
上記目的を達成するために、本発明によれば、可動接触子を保持した回動式の接触子ホルダと開閉操作ハンドルのハンドルレバーとの間を連繋し、ハンドルのＯＮ，ＯＦＦ操作に従動して前記接触子ホルダを閉極，開極位置に駆動する回路遮断器の開閉機構で、該開閉機構が、原動節点となるトグル軸を介して相互連結した第１リンク，第２リンクの他端をそれぞれラッチ連結軸，接触子ホルダのクランク軸に連結して架設したトグルリンクと、該トグルリンクのトグル軸と前記ハンドルレバーとの間に架け渡した開閉スプリングとを組み合わせたものにおいて、
前記トグルリンクはトグル軸を上にして第１，第２リンクが共に下向きに延在し、かつ可動接触子の閉極位置では第１リンクと第２リンクがほぼ重なり合うように配置するとともに、開閉スプリングは圧縮コイルばねとして、該開閉スプリングをハンドルレバーに上端を連繋してトグルリンクの側方に布設した回動式スプリングレバーの下端とトグル軸の間に架け渡して構成する（請求項１）。
【０００７】
また、前記のスプリングレバーは、その長手方向の中間を軸支したシーソー形レバーでその上端をハンドルレバーに形成した長孔にピン結合し、開閉スプリングはその両端に回動式のばね受け座金を結合し、該ばね受け座金を介して前記スプリングレバーの下端とトグルリンクのトグル軸との間に圧縮した状態に架け渡すものとする（請求項２）。
【発明の効果】
【０００８】
上記の構成によれば、トグルリンクは原動節点となるトグル軸を上にして第１リンクと第２リンクが共に下方に延在する配置としたことで、従来構造の開閉機構と比べて、所要高さ寸法を縮小して遮断器の外形サイズを小形化できる。
また、トグルリンクの側方に並置して開閉機構に回動式スプリングレバーを追加装備し、このスプリングレバーの上端をハンドルレバーに連繋させた上で、該スプリングレバーの下端とトグルリンクの上端側に位置するトグル軸との間に圧縮コイルばねとしての開閉スプリングを架け渡した構成とすることにより、トグル軸とスプリングレバーの下端との間に圧縮コイルばねの開閉スプリングを架け渡すに必要な設置スペースを確保でき、かつ閉極状態では開閉スプリングの圧縮ばね力で固定接触子と可動接触子との間に大きな接触圧力を加えて接点の接触信頼性を高めることかでき、しかも、開閉スプリングとしてフック部を必要としない圧縮コイルばねを用いたことで耐久性，信頼性も向上する。さらに、開閉スプリングは回動式ばね受け座金を介してトグル軸，スプリングレバーに連結したことにより、ハンドルのＯＮ，ＯＦＦ操作によりトグルリンクが反転動作する過程でも、回動式ばね受け座金の調芯機能により圧縮コイルばねが座屈するおそれはなく、これにより開閉動作が安定よく行える。
【発明を実施するための最良の形態】
【０００９】
以下、本発明の実施の形態を図１（ａ），（ｂ）の実施例に基づいて説明する。なお、実施例の図中で図２に対応する部材には同じ符号を付してその詳細な説明は省略する。
すなわち、図示実施例の構成においては、トグルリンク８の第１リンク９と第２リンク１０は共に原動節点となるトグル軸１３を上にして下向きに延在していて、第１リンク９の下端は図示してないラッチに軸１４を介して連結し、第２リンク１０の下端は接触子ホルダ４のクランクピン１５に連結して４節リンクの倍力機構を構成している。そして、図１（ａ）の閉極状態では、倍力機能が有効に働くように第１リンク９と第２リンク１０とがほぼ重なり合うように設定されている。このリンク配置により、図２に示した従来構造（トグル軸１３を挟んで第１リンク９と第２リンク１０が上下方向に延在している）と比べて開閉機構の占有する所要高さスペースが縮小して回路遮断器の小型化が図れる。
【００１０】
また、開閉機構には後記する圧縮コイルばねの開閉スプリングを架け渡すために、トグルリンク６とほぼ平行して側方にはスプリングレバー１６を新たに追加装備して次記のようにハンドルレバー６に連繋している。すなわち、このスプリングレバー１６はその中央部が軸１６ａを介して開閉機構の組立フレーム１２（図２（ａ）参照）に軸支されており、レバーの上端がハンドルレバー６の板面に形成した長穴６ｂにピン結合されている。
そして、前記スプリングレバー１６の下端とトグルリンク８の上端側に位置するトグル軸１３との間にまたがって圧縮コイルばねになる開閉スプリング１１を圧縮状態に架け渡してトグル軸１３に圧縮ばね荷重を加えて上方に押し上げるようにしている。ここで、開閉スプリング１１の両端には自在継手として回動式のばね受け座金１７を取り付け、該座金１７の先端に形成したピン穴をスプリングレバー１６の下端に設けた支軸ピン，およびトグル軸１３に嵌合して開閉スプリング１１を架け渡している。このように追加装備したスプリングレバー１６の上端をハンドルレバー６に連繋したことにより、スプリングレバー１６の下端とトグルリンク８の上端側に位置するトグル軸１３との間に開閉スプリング１１を架け渡すに要する十分な間隔の配置スペースが確保される。
【００１１】
上記の構成で、図１（ａ）に示す閉極状態（ＯＮ）では、ハンドルレバー６に連結したスプリングレバー１６が図示位置に拘束保持され、この位置で圧縮コイルばねになる開閉スプリング１１のばね力（矢印Ｆ）がトグルリンク８に対してトグル軸１３を図面の左側から上方に押し上げるように荷重している。また、開閉スプリング１１のばね力は第２リンク１０を介して接触子ホルダ４に伝達し、これにより接触子ホルダ４は開閉軸４ａを支点に反時計方向のトルクを受けて可動接触子３が固定接触子２を押圧して接点間に通電に必要な接触圧力を与える。
一方、上記の閉極状態からハンドル５をＯＦＦ位置に向けて時計方向に移動操作すると、図１（ｂ）で示すようにハンドルレバー６が先端側の支軸６ａを支点に時計方向に回動するとともに、この動きに従動してスプリングレバー１６が支軸１６ａを支点にして時計方向に大きく回動し、該レバーの下端がトグルリンク８の左側に移動する。これにより、スプリングレバー１６の下端とトグルリンク８のトグル軸１３との間に架け渡した開閉スプリング（圧縮コイルばね）１１の作用線が図１（ａ）の状態から反転して圧縮ばね力Ｆでトグル軸１３を図１（ａ）とは逆に右方向に押す。これにより、トグルリンク８の第１リンク９が軸１４を支点に時計方向に回動し、同時に第２リンク１０を介して接触子ホルダ４が時計方向に回転して可動接触子３が固定接触子２から上方に引き上げられて開極位置に移動する。また、この開極状態（ＯＦＦ）からハンドル５をＯＮ位置に向けて左側に移動操作すれば、開閉スプリング１１が反転動作して図１（ａ）の閉極状態に戻る。
【図面の簡単な説明】
【００１２】
【図１】本発明の実施例による開閉機構の構成，動作の説明図で、（ａ），（ｂ）はそれぞれ可動接触子の閉極，開極状態を表す図
【図２】回路遮断器の従来例による開閉機構の構成，動作の説明図で、（ａ），（ｂ）はそれぞれ可動接触子の閉極，開極状態を表す図
【符号の説明】
【００１３】
１    遮断器ケース
２    固定接触子
３    可動接触子
４    接触子ホルダ
５    ハンドル
６    ハンドルレバー
８    トグルリンク
９    第１リンク
１０    第２リンク
１３    トグル軸
１６    スプリングレバー
１６ａ  支軸
１７  回動式ばね受け座金
【図１】
2006019202.tif 000003
【図２】
2006019202.tif 000004